(57)【特許請求の範囲】
【請求項１】
帳票が載置された帳票載置部を設け、この帳票載置部から装置内部に前記帳票を取り込む帳票取込装置であって、
帳票を装置内部に取り込む３つの取込ローラと、
この３つの取込ローラそれぞれに対向して設けられたセパレータと、
前記取込ローラ及び前記セパレータのそれぞれを、前記帳票に接触する接触位置と前記帳票に接触しない非接触位置との間で移動させる昇降機構とを設け、
前記３つの取込ローラの中から１つ又は２つのローラを選択するとともに、選択されなかった取込ローラ及びこの取込ローラに対向するセパレータをそれぞれ非接触位置に移動させた状態で、前記選択された１つ又は２つの取込ローラにより前記帳票を装置内部に取り込むことを特徴とする帳票取込装置
【請求項２】
帳票が載置された帳票載置部を設け、この帳票載置部から装置内部に前記帳票を取り込む帳票取込装置であって、
前記帳票載置部の幅方向に移動可能に設けられた第１の取込ローラと、
前記帳票載置部の幅方向に移動可能に設けられた第２の取込ローラとを設け、
前記第１及び前記第２の取込ローラを前記帳票の重心から等距離の位置に配置して前記帳票を装置内部に取込むことを特徴とする帳票取込装置。
【発明の詳細な説明】
【０００１】
【発明の属する技術分野】
本発明は、帳票に記された文字等を光学的に読み取るための帳票読取装置における帳票取込装置に関する。
【０００２】
【従来の技術】
一般に、帳票読取装置は、帳票を１枚ずつ装置内部に取込んで搬送し、搬送経路上に設けられた例えばＣＣＤイメージセンサ等により帳票に記された文字をイメージとして読取るとともに、読取った文字のイメージを１文字毎に検出して切出し文字認識を行うものである。また、このような帳票読取装置としては、読取ったイメージデータを、文字認識用のアプリケーションソフトが予めインストールされた外部のパソコンに伝送し、文字認識を行わせるタイプの装置も普及している。
【０００３】
さらに、このような帳票読取装置には、一般に、イメージセンサ等が配設された装置内部へ積載された帳票を１枚ずつ分離して取り込むために帳票取込装置が設けられている。すなわち、この帳票取込機構は、図７に示すように、取込ローラ５３によって、ホッパテーブル５１に積載された帳票５２の上面と摺接しつつ帳票５２を装置内部へ取込むことができる。また、取込ローラ５３は、帳票の下面と接触するセパレータ（図示せず）と協働しつつ、帳票を一枚ずつ分離することができる。
【０００４】
ところで、装置内部への取込み対象の帳票５２は、イメージセンサによる帳票５２表面の走査時間の短縮を図るために、装置内部のイメージセンサの待機位置が考慮され、装置内部への取込方向Ａと直交するホッパテーブル５１の幅方向の左端部寄せで積載されるようになっている。したがって、取込ローラ５３は、小さいものから大きなものまで様々なサイズの帳票を装置内部へ取り込めるように、ホッパテーブル５１の前述した幅方向の左端部周辺に配設されている。
【０００５】
【発明が解決しようとする課題】
しかしながら、このような従来の帳票読取装置は、取込みローラ５３がホッパテーブル５１の前述した幅方向の端部周辺に配設されていることから、無論。取込ローラ５３は帳票の端部に引込力を付与することになる。したがって、従来の帳票読取装置では、図８に示すように、大きなサイズの帳票５４を装置内部に取込む場合、帳票５４中央の重心Ｇを支点とした大きなモーメントＭが帳票５４に働くことになるので、帳票は回転が生じ傾斜状態で装置内部に取込まれ、これにより、装置内部に配設されたイメージセンサ等による帳票５４のイメージの読取りに支障をきたしてしまうという課題があった。
【０００６】
本発明はこのような課題を解決するためになされたものであり、サイズの大小に拘らず、帳票を良好な取込み姿勢で装置内部へ取込めることで、装置内部において正常に帳票のイメージを読み取ることができる帳票読取装置を提供しようとするものである。
【０００７】
【課題を解決するための手段】
上記目的を達成するために、本発明の帳票取込装置は、請求項１に記載されているように、帳票が載置された帳票載置部を設け、この帳票載置部から装置内部に前記帳票を取り込む帳票取込装置であって、帳票を装置内部に取り込む３つの取込ローラと、この３つの取込ローラそれぞれに対向して設けられたセパレータと、前記取込ローラ及び前記セパレータのそれぞれを、前記帳票に接触する接触位置と前記帳票に接触しない非接触位置との間で移動させる昇降機構とを設け、前記３つの取込ローラの中から１つ又は２つのローラを選択するとともに、選択されなかった取込ローラ及びこの取込ローラに対向するセパレータをそれぞれ非接触位置に移動させた状態で、前記選択された１つ又は２つの取込ローラにより前記帳票を装置内部に取り込むことを特徴とする。
【０００８】
この発明の帳票処理装置は、装置内部への取込対象の帳票のサイズに応じて、帳票上のそれぞれ異なる位置に配置されることとなる取込ローラ又はセパレータを自由に選択し帳票に接触させることができる。したがって、この発明の帳票処理装置によれば、取込対象の帳票のサイズに応じた最良の帳票上の位置に取込力又は分離力を付与することができるので、複数枚の帳票を分離しつつ装置内部へ取込む際に、帳票が大きく回転してまうような恐れがなく、これにより、帳票の大小に拘らず装置内部において正しく帳票のイメージを読み取ることができる。
【０００９】
また、本発明の帳票取込装置は、請求項２に記載されているように、帳票が載置された帳票載置部を設け、この帳票載置部から装置内部に前記帳票を取り込む帳票取込装置であって、前記帳票載置部の幅方向に移動可能に設けられた第１の取込ローラと、前記帳票載置部の幅方向に移動可能に設けられた第２の取込ローラとを設け、前記第１及び前記第２の取込ローラを前記帳票の重心から等距離の位置に配置して前記帳票を装置内部に取込むことを特徴とする。
【００１０】
この発明の帳票読取装置は、装置内部への取込対象の帳票のサイズに応じて、取込ローラによる帳票に付与する取込力の位置を変えることができるので、装置内部へほぼ真直ぐな姿勢で帳票を取込むこと等が可能となり、請求項１記載の帳票取込装置と同様、帳票の大小に拘らず装置内部において正しく帳票のイメージを読取ることができる。
【００１１】
【発明の実施の形態】
以下、本発明の実施の形態を図面に基づき説明する。
【００１２】
図１は、本発明の第１の実施形態に係る帳票読取装置を概略的に示す図である。
【００１３】
本実施形態の帳票読取装置は、帳票上に記録された文字をイメージデータとして読み取り、読み取ったイメージデータを、文字認識用のアプリケーションソフトが予めインストールされた外部のパーソナルコンピュータ（ＰＣ）に伝送し、文字認識を行わせるためのものである。
【００１４】
図１に示すように、この帳票読取装置１は、装置内部に搬入される複数枚の帳票が積載されるホッパテーブル２と、ホッパテーブル２に積載された帳票の上面に摺接して帳票を装置内部に取込む前方取込ローラ群３及び後方取込ローラ群４と、取込ローラ群４によって装置内部に取込まれる帳票の下面に接触し、取込ローラ群４と協働して帳票を一枚ずつ分離するセパレータ群６と、上下に対向して配置され、帳票を両面から挟持しつつ下流側へと搬送する複数の上部搬送ローラ７及び下部搬送ローラ８と、搬送されてきた帳票の表面に光を照射する光源１４と、帳票の表面から反射光をＣＣＤ１３へ導くミラー１０、１１及びレンズ１２と、一方、搬送されてきた帳票の裏面のイメージを読取るための裏面密着センサ１５と、プラテンローラ１６に対向して設けられ、処理した帳票に対し連番等を印字する印字ヘッド１７と、印字ヘッド１７によって所定の印字処理を終え、フラッパ１８に仕分けられつつ装置外部に搬出された帳票を収容するスタッカ１９、２０とから主に構成されている。
【００１５】
ここで、装置内部へ帳票を取込むための取込機構部分について説明する。
【００１６】
図１においてＡは帳票、また、図２においてＡ、Ｂ、Ｃ、Ｄはそれぞれサイズの異なる帳票を示している。図１に示すように、帳票Ａは、ＣＣＤ１３を含む光学系機構による帳票表面の走査時間の短縮を図るために、装置内部の光学系機構のスタンバイ位置が考慮され、装置内部への帳票Ａの取込方向と直交するホッパテーブル２の幅方向の左端部寄せで積載される。したがって、ホッパテーブル２は、前記幅方向の左端部に帳票の載置面から起立した左端部位置決め用の固定ガイド２２と、同様に帳票の搭載面から起立しており、ホッパテーブル２の幅方向に移動可能に設けられ、帳票の端面と接触して帳票の他の端面を左端部位置決め用の固定ガイド２２に押し当てる働き持つ可動ガイド２３とを有している。
【００１７】
前方取込ローラ群３は、図２に示すように、３つの取込ローラ３ａ、３ｂ、３ｃから構成されている。取込ローラ３ａは、装置内部へ帳票Ａを取り込む取込方向と直行するホッパテーブル２の幅方向の左端部に設けられている。又、取込ローラ３ｃは、ホッパテーブル２の幅方向の中心より右側の位置に設けられている。更に取込ローラ３ｂは、取込ロ一ラ３ａに隣接した位置に設けられている。後方取込ローラ群４は、３つの取込ローラ４ａ、４ｂ、４ｃとから構成されており、それぞれ取込ローラ３ａ、３ｂ、３ｃに対応する位置で取込方向の下流側に設けられている。
【００１８】
セパレータ６は、これら取込ローラ４ａ、４ｂ、４ｃと高さ方向に対向する位置に設けられている。このセパレータ６は、ホッパテーブル２から２枚の帳票が取り出された場合、その下側の帳票と接触しその摩擦により下側の帳票をそれ以降の位置に給紙されることを阻止して一番上の帳票のみを給紙するようにしたダブルフィード防止機構を構成するものである。セパレータ６は、取込ローラ４ａ、４ｂ、４ｃのそれぞれに対向するように３つ設ける。
【００１９】
取込ローラ３ａ、３ｂ、３ｃ、取込ローラ４ａ、４ｂ、４ｃ、セパレータ６には、図示しないが昇降機構が設けられている。この昇降機構の動作により、取込ローラ３ａ、３ｂ、３ｃ、取込ローラ４ａ、４ｂ、４ｃ、セパレータ６のそれぞれが帳票と接触する位置と接触しない非接触位置との間を移動できるようになっている。
【００２０】
また、前述したように帳票２１のサイズがユーザによりＰＣに人力されているので、ＰＣの制御により入力された帳票２１のサイズに基づいて、取込ローラ３ａ、３ｂ、３ｃ、取込ローラ４ａ、４ｂ、４ｃ及びセパレータ６の中から、帳票の取込（給紙）に寄与しないものを昇降機構により帳票との非接触位置に移動させるものとする。
【００２１】
図２において、この帳票処理装置１において使用される４種類の大きさの帳票Ａ、Ｂ、Ｃ、Ｄが図示されている。
【００２２】
次にこのように構成された帳票処理装置１において、装置内部に帳票を取り込む動作を説明する。
【００２３】
図２において、帳票Ａを装置内部に取り込む（給紙する）場合には、取込ローラ３ｂ、３ｃ、４ｂ、４ｃを使用する。この際、取込ローラ３ａ、４ａ及びこれら取込ローラに対向しているセパレータは、昇降機構により帳票に対して非接触位置に移動させているものとする。従って、これら取込ローラ及びセパレータから帳票に対して力が加わることはない。
【００２４】
また、帳票Ｂを装置内部に取り込む（給紙する）場合には、取込ローラ３ａ、３ｃ、４ａ、４ｃを使用する。この際、取込ローラ３ｂ、４ｂ及びこれら取込ローラに対向しているセパレータは、昇降機構により帳票に対して非接触位置に移動させているものとする。従って、これら取込ローラ及びセパレータから帳票に対して力が加わることはない。
【００２５】
また、帳票Ｃを装置内部に取り込む（給紙する）場合には、取込ローラ３ａ、３ｂ、４ａ、４ｂを使用する。この際、取込ローラ３ｃ、４ｃ、及びこれら取込ロ一ラに対向しているセパレータは、昇降機構により帳票に対して非接触位置に移動させているものとする。従って、これら取込ローラ及びセパレータから帳票に対して力が加わることはない。
【００２６】
更に帳票Ｄを装置内部に取り込む（給紙する）場合には、取込ローラ３ａ、４ａを使用する。この際、取込ローラ３ｂ、３ｃ、４ｂ、４ｃ、及びこれら取込ロ一ラに対向しているセパレータは、昇降機構により帳票に対して非接触位置に移動させているものとする。従って、これら取込ローラ及びセパレータから帳票に対して力が加わることはない。
【００２７】
このように取り込む（給紙する）帳票のサイズ（横幅）に応じて、３つある取込ロ一ラの中から適宜２つの取込ロ一ラを選択して使用することにより、帳票は傾斜することなく正しい姿勢で装置内部に取り込まれる。
【００２８】
ここで、帳票Ａを取り込む場合に帳票Ａに加わる各種力のバランスについて考察する。全ての取込ローラ３ａ、３ｂ、３ｃ、取込ロ一ラ４ａ、４ｂ、４ｃを使用して給紙する場合に、帳票Ａには図３に示すように、帳票の取り込み力ｆ１、セパレータにより発生する分離力ｆ２、帳票Ａに発生する摩擦力ｆ３とが発生している。これらの力は、帳票Ａの重心Ｇに対してバランスが崩れているので、帳票Ａは重心Ｇを支点としてモーメント力Ｍが発生するため傾斜してしまう。
【００２９】
一方、取込ロ一ラ３ｂ、３ｃ、４ｂ、４ｃを使用して帳票Ａを装置内部に取り込む（給紙する）場合には、図４に示すように力のバランスがとれているので、帳票Ａにはモーメント力Ｍが発生しないため、帳票Ａは傾斜することなく正しい姿勢で装置内部に取り込まれる。
【００３０】
また、図５に示すように４つの取込ローラ、即ち、取込ローラ３ａ、３ｂ、３ｃ、３ｄ、取込ローラ４ａ、４ｂ、４ｃ、４ｄを使用する構成にしても、同様な効果が得られる。
【００３１】
また、装置内部へ帳票を取込むための部材は、ローラであったが、外周面が帳票の上面に摺接するようにプーリによって搬送される無端ベルト等を装置内部へ帳票を取込むための部材として適用してもよい。
【００３２】
さらに、本実施形態の帳票読取装置は、帳票上に記録された文字をイメージデータとして読み取り、読み取ったイメージデータを外部のパーソナルコンピュータに伝送し文字認識を行わせるものであったが、文字認識機能を付加し帳票読取装置を構成してもよい。また、装置内部に書類を取込み搬送するファクシミリや複写機等にも本発明を適用することができる。
【００３３】
次に、本発明の第２の実施形態について説明する。
【００３４】
図６に示すように、この実施形態の帳票取込装置は、前方取込ロ−ラ３ａ、３ｅ、後方取込ローラ４ａ、４ｅをホッパテーブル２の幅方向に移動可能なように設けたことを特徴とする。尚、図示は省略するが、前方取込ローラ３ａ、３ｅ、後方取込ローラ４ａ、４ｂのそれぞれに対向する位置にはセパレータ群が設けられており、これらも取込ローラの移動に対応して移動する構成とする。また、図示を省略したが前方取込ロ一ラ３ａ、３ｅ、後方取込コーラ４ａ、４ｅ及び全てのセパレータには昇降機構が設けられている。
【００３５】
この実施形態では、帳票を装置内部に取り込む際には、取込ローラ３ａ（４ａ）、３ｅ（４ｅ）をその取り込む帳票の重心Ｇから等距離になる位置に移動させて動作させる。このように２つの取込ローラ３ａ（４ａ）、３ｅ（４ｅ）の配置する位置を帳票の重心Ｇから等距離に設定したことにより、帳票には重心Ｇを支点としたモーメント力Ｍが発生しないので、帳票は傾斜することなく正しい姿勢で装置内部に取り込ませることができる。
【００３６】
【発明の効果】
このように本発明によれば、帳票を装置内部に取り込む際に、帳票にモーメント力が発生することがないので、帳票を傾斜させることなく正しい姿勢で装置内部に取り込む（給紙する）ことができる。
【図面の簡単な説明】
【図１】本発明の第１の実施形態に係る帳票読取装置を概略的に示す図。
【図２】図１の帳票読取装置に設けられた帳票取込機構を概略的に示す図。
【図３】図２の帳票取込機構による機構制御を一部削除した場合の帳票の取込み状況を示す図。
【図４】図２の帳票取込機構による帳票の取込み状況を示す図。
【図５】図２と異なる他の帳票取込機構を概略的に示す図。
【図６】本発明の第２の実施形態に係る帳票読取装置に設けられた帳票取込機構を概略的に示す図。
【図７】従来の帳票読取装置に設けられた帳票取込機構を概略的に示す図。
【図８】図７の帳票取込機構による大きなサイズの帳票の取込み状況を示す図。
【符号の説明】
１……帳票読取装置
２……ホッパテーブル
３……前方取込ローラ群
４……後方取込ローラ群
６……セパレータ群
１３……ＣＣＤ
Ａ、Ｂ、Ｃ、Ｄ……帳票
２２……固定ガイド
２３……可動ガイド
３ａ、３ｂ、３ｃ、３ｄ、３ｅ、４ａ、４ｂ、４ｃ、４ｄ、４ｅ……取込ローラ
【図１】
0003802289.tif 000002
【図２】
0003802289.tif 000003
【図３】
0003802289.tif 000004
【図４】
0003802289.tif 000005
【図５】
0003802289.tif 000006
【図６】
0003802289.tif 000007
【図７】
0003802289.tif 000008
【図８】
0003802289.tif 000009